(57)【要約】  悪臭低減組成物を含む吸収性物品。悪臭低減組成物は、酢酸テルピニル、メチルイソオイゲノール、フェニルアセトアルデヒドジメチルアセタール、及びパッチワンからなる群から選択される少なくとも２つの香料素材の香料混合物を、前述の香料混合物の約５重量％〜約１００重量％含む。【特許請求の範囲】
【請求項１】
悪臭低減組成物を含む吸収性物品であって、前記悪臭低減組成物が香料混合物を含み、前記香料混合物が酢酸テルピニル、メチルイソオイゲノール、フェニルアセトアルデヒドジメチルアセタール、及びパッチワンからなる群から選択される少なくとも２つの香料素材を、前記香料混合物の５重量％〜１００重量％含む、吸収性物品。
【請求項２】
前記香料素材が、前記香料混合物の１２重量％〜３０重量％の量で存在する、請求項１に記載の吸収性物品。
【請求項３】
前記悪臭低減組成物が、セドリルメチルエーテル、ウンデシレンアルデヒド、パルミチン酸メチル、及びこれらの混合物を更に含む、請求項１に記載の吸収性物品。
【請求項４】
前記悪臭低減組成物が、希釈剤を更に含む、請求項１に記載の吸収性物品。
【請求項５】
前記物品が、トップシート、バックシート、前記トップシートと前記バックシートとの間に配設された吸収性コア、及び前記トップシートと前記吸収性コアとの間に配設された捕捉層を含み、前記悪臭低減組成物が、前記バックシート、吸収性コア、又は捕捉層のうちの１つの上に配設される、請求項１に記載の吸収性物品。
【請求項６】
前記物品が、前記トップシートと前記吸収性コアとの間に配設される捕捉層を更に含み、前記悪臭低減組成物が、前記捕捉層上に配設される、請求項５に記載の吸収性物品。
【請求項７】
前記捕捉層が組織層を含み、前記悪臭低減組成物が、前記組織層上に配設される、請求項６に記載の吸収性物品。
【請求項８】
前記捕捉層が不織布層を含み、前記悪臭低減組成物が前記不織布層上に配設される、請求項６に記載の吸収性物品。
【請求項９】
前記物品が、トップシート、バックシート、前記トップシートと前記バックシートとの間に配設された吸収性コア、前記トップシートと前記吸収性コアとの間に配設された捕捉層、及びホットメルト接着剤を更に含み、前記ホットメルト接着剤が、前記悪臭低減組成物を含む、請求項１に記載の吸収性物品。
【請求項１０】
前記ホットメルト接着剤が、前記バックシートを前記トップシートに接着させる、請求項９に記載の吸収性物品。
【請求項１１】
前記バックシートが、不織布層及びフィルム層を含み、前記ホットメルト接着剤が、前記バックシート不織布層を前記バックシートフィルム層に接着させる、請求項９に記載の吸収性物品。
【請求項１２】
前記物品が、前記トップシートと前記吸収性コアとの間に配設される捕捉層を更に含み、前記ホットメルト接着剤が、前記捕捉層を前記トップシートに接着させる、請求項９に記載の吸収性物品。
【請求項１３】
悪臭低減組成物を含む吸収性物品であって、前記悪臭低減組成物が、パルミチン酸メチル、ファルネソール、ベチバーアセテート、ウンデシレンアルデヒド、酢酸テルピニル、メチルイソオイゲノール、フェニルアセトアルデヒドジメチルアセタール、及びパッチワンからなる群から少なくとも３つの香料素材を有効量で含む、吸収性物品。
【請求項１４】
前記物品が、トップシート、バックシート、前記トップシートと前記バックシートとの間に配設された吸収性コア、及び前記トップシートと前記吸収性コアとの間に配設された捕捉層を含み、前記悪臭低減組成物が、前記バックシート、吸収性コア、又は捕捉層のうちの１つの上に配設される、請求項１３に記載の吸収性物品。
【請求項１５】
前記物品が、ホットメルト接着剤を更に含み、前記ホットメルト接着剤が、前記悪臭低減組成物を含む、請求項１３に記載の吸収性物品。
【発明の詳細な説明】
【技術分野】
【０００１】
本発明は、無香料及び低香料の悪臭低減組成物を含む吸収性物品並びにこれらの製造方法及び使用方法に関する。
【背景技術】
【０００２】
無香料又は低香料製品は、香料入り商品より自然で、より控え目と考えられる場合があり、消費者に好まれる。悪臭を抑制するための無香料又は低香料製品のメーカーは、悪臭を低減するうえで悪臭低減材料又はその他の技術（例えばフィルター）に頼っている。しかし、乾燥した及び汚れた吸収性物品の悪臭を両方とも効果的に抑制することは困難であり、また、ある製品が悪臭を著しく減じるには時間がかかることが、悪臭に対するその製品の効能に関して消費者に疑いを生じさせることもある。多くの場合、メーカーは、これら困難な悪臭をマスキングするために芳香香料を取り入れている。
【０００３】
米国特許出願第１３／２４９，６１６号には、悪臭を抑える無香料及び低香料の悪臭低減組成物が開示されている。残念ながら、そのような組成物を製造するために使用される材料の範囲は大きく限られ、要望を満たさない。驚いたことに、本出願人は、高い蒸気圧（例えば、２５℃で０．０１ｋＰａ（０．１ｔｏｒｒ）より高い蒸気圧）を有する香料原材料は、単位空気量当たりの香料分子数がより大きいので、際だった匂いを発すると思われるが、高い蒸気圧を有する、ある種の香料原材料は、本明細書で教示される濃度で使用すると、匂いをほとんど又はまったく発せず、悪臭を低減するという知見を得た。
【先行技術文献】
【特許文献】
【０００４】
【特許文献１】米国特許出願第１３／２４９，６１６号
【発明の概要】
【課題を解決するための手段】
【０００５】
本発明は、無香料及び低香料の悪臭低減組成物を含む吸収性物品並びにこれらの製造方法及び使用方法に関する。
【発明を実施するための形態】
【０００６】
定義
「吸収性物品」とは、身体排泄物を吸収及び収容するデバイスを指し、より詳細には、着用者の身体に接してあるいは、近接して配置されて、身体から排出される様々な排泄物を吸収し、収容するデバイスを指す。代表的な吸収性物品としては、おむつ、トレーニングパンツ、プルオンパンツ型おむつ（すなわち、米国特許第６，１２０，４８７号に示されているような予め形成された腰部開口部及び脚部開口部を有するおむつ）、再締結可能おむつあるいは、パンツ型おむつ、失禁用ブリーフ及び下着、おむつホルダ及びライナー、パンティライナー等の女性用生理衣類、吸収性挿入物等が挙げられる。
【０００７】
「接着剤」とは、１種以上の熱可塑性ポリマー、典型的には１種以上の粘着付与樹脂、及びレオロジー変性剤又は可塑剤を含む組成物を指す。接着剤は、２％以上の粘着付与樹脂を含有してもよい。接着剤は、概して、少なくとも１つの材料にそれを塗布し、次いで、十分な時間、十分な力を用いて、少なくとも１つの他の材料をそれに接触させることによって、２つ以上の材料を共に接合又は接着するために使用され、接着剤が、共にそれらを接合するために、湿潤する、又はそれぞれの材料上に広げることができる（以下の「粘着付与剤」の定義を参照のこと）。
【０００８】
本明細書で使用する場合、「消費者製品」は、販売される形態での使用又は消費を意図し、後続する商業的製造又は修正を意図しない、ベビーケア及び／若しくはフェミニンケア製品又はデバイスを意味する。このような製品には、これらに限定されないが、おむつ、よだれ掛け、拭き取り用品、消費者向けのクリーム、ローション及び他の局所に適用する製品の応用例を含めたスキンケア、タンポン及び／又は生理用ナプキンが挙げられる。
【０００９】
「おむつ」とは、一般的に、幼児及び失禁症状のある人によって着用されるものであり、着用者の腰部及び脚部を取り巻くように、胴体下部の周りに着用され、具体的には、尿及び糞便を受容し収容するように適合された吸収性物品を指す。「おむつ」という用語には、本明細書で使用する場合、以下で定義されている「パンツ」も含まれる。
【００１０】
吸収性物品に関連しての「使い捨て」は、吸収性物品が、洗濯される、あるいは別の方法で吸収性物品として復元されるか再利用されることを一般的に意図しない（すなわち、１回だけの使用の後で廃棄することが意図され、リサイクルする、堆肥化する、あるいは環境に適合する方法で廃棄してもよい）ことを意味する。
【００１１】
本明細書で使用する場合、「悪臭」とは、排便にともなう複合臭のようなほとんどの人々にとって一般的に不快であるか不愉快である化合物を意味する。
【００１２】
本明細書で使用する場合、「中和する」又は「中和」とは、化合物又は製品が悪臭化合物を低減するか又は除去する能力を意味する。臭気の中和は、所定の状況で複数種の悪臭化合物の幾つかのみに作用するか、又は１種の悪臭化合物の一部のみに作用する、部分的なものであってよい。悪臭化合物は、新しい化学物質を生じる化学反応、金属イオン封鎖、キレート化、会合、又は悪臭化合物をそれほど悪臭が強くないか又は無悪臭にする他の相互作用によって中和され得る。臭気マスキング又は臭気ブロッキングは、悪臭化合物の状態変化に相当する変化が一切ない、悪臭を知覚する能力の変化であるのに対して、中和は、悪臭化合物の変化があるという点で、臭気マスキングや臭気ブロッキングと区別することができる。悪臭中和は、知覚及び分析測定可能（例えば、ガスクロマトグラフ）な悪臭の低減をもたらす。したがって、ある悪臭低減組成物が真の悪臭中和をもたらすならば、その組成物は気相及び／又は液相中の悪臭を低減するであろう。
【００１３】
本明細書で使用する場合、「臭気マスキング」は、悪臭化合物を感知する能力を制限するように投与される、不快でない、又は心地よい匂いを有する化合物の能力を意味する。臭気マスキングは、予期される悪臭と協調することで臭気化合物の組み合わせによって与えられる全体的な匂いの知覚を変化させる化合物の選択を伴い得る。
【００１４】
「粘着付与剤」とは、ゴム状ポリマーの融解粘度を低下させ、ゴム状ポリマーのガラス転移温度を上昇させ、ゴム状ポリマーのからみ合い密度を低下させる約７０℃〜約１５０℃の範囲のガラス転移温度を有する接着性成分を指す。
【００１５】
本明細書で使用する場合、用語「ａ」及び「ａｎ」は、「少なくとも１つ」を意味する。
【００１６】
本明細書で使用する場合、用語「含む（include）」、「含む（includes）」、及び「含んでいる（including）」は、非限定的であることを意味する。
【００１７】
別途指定されない限り、成分又は組成物の濃度は全て、当該成分又は組成物の活性部分に関するものであり、このような成分又は組成物の市販の供給源に存在し得る不純物、例えば、残留溶媒又は副生成物は除外される。
【００１８】
全ての百分率及び比率は、別途指定されない限り、重量で計算される。全ての百分率及び比率は、別途指定されない限り、全組成物を基準にして計算される。
【００１９】
本明細書の全体を通じて与えられる全ての最大数値限定は、それよりも小さい数値限定を、そのようなより小さい数値限定があたかも本明細書に明確に記載されているかのように包含するものと理解すべきである。本明細書の全体を通じて与えられる全ての最小数値限定は、より大きい全ての数値限定を、そのようなより大きい数値限定があたかも本明細書に明確に記載されているかのように包含する。本明細書全体を通して与えられる全ての数値範囲は、そのようなより広い数値範囲内に入るより狭い全ての数値範囲を、そのような狭い数値範囲があたかも全て本明細書に明確に記載されているかのように包含する。
【００２０】
悪臭低減組成物
本発明は、無香料及び低香料の悪臭低減組成物及びこれらの方法に関する。本発明の無香料及び低香料悪臭低減組成物は、ほぼ匂いがない香料混合物を含有する。組成物の知覚可能な芳香強度及び悪臭の有効性は、本明細書で概説する試験を用いて判定することができる。
【００２１】
有効量のパルミチン酸メチル、ファルネソール、ベチバーアセテート、ウンデシレンアルデヒド、酢酸テルピニル、メチルイソオイゲノール、フェニルアセトアルデヒドジメチルアセタール、パッチワン、及び任意選択により、ベンゾフェノン、酸化ジフェニル、メロゾーン、酢酸イソノニル、セドリルメチルエーテル、及びこれらの混合物からなる群から選択される物質を含有する香料混合物を含む悪臭低減組成物が提供され、任意選択によりカプセル化された前述の悪臭低減組成物又は前述の香料混合物が開示される。本明細書において、前述の悪臭低減組成物を「悪臭低減組成物１」に指定する。
【００２２】
一態様において、前述の悪臭低減組成物の香料混合物は、悪臭低減組成物の、最大１００重量％、あるいは約０重量％〜約１００重量％、あるいは約５重量％〜約１００重量％、あるいは約１０重量％〜約１００重量％、あるいは約３０重量％〜約１００重量％、あるいは約５０重量％〜約１００重量％、あるいは約７０重量％〜約１００重量％、あるいは約８０重量％〜約１００重量％、あるいは、悪臭低減組成物の、約０．００１重量％〜約５重量％、あるいは約０．００１重量％〜約２重量％、あるいは約０．００１重量％〜約０．５重量％、あるいは約０．００１重量％〜約０．３重量％、あるいは約０．００１重量％〜約０．１重量％、あるいは約０．００１重量％の量で存在する。
【００２３】
一態様において、前述の悪臭低減組成物は、セドリルメチルエーテル、フロールヒドラル（florhydral）、ヘリオナール（helional）、バートフィクスクール（vertofix couer）及びこれらの混合物を含有する。
【００２４】
一態様において、前述の悪臭低減組成物の香料混合物は、フローラルスーパー（floral super）、２−エトキシベンジルアルデヒド、２−イソプロピル−５−メチル−２−ヘキセナール、５−メチルフルフラール、５−メチル−チオフェン−カルボキシアルデヒド、ｐ−アニスアルデヒド、ベンジルアルデヒド、ケイ皮アルデヒド、デシルアルデヒド、リグストラル（Ligustral）、リラール（Lyral）、メロナール（Melonal）、ｏ−アニスアルデヒド、Ｐ．Ｔ．ブシナール（P. T. Bucinal）、チオフェンカルボキシアルデヒド、トランス−４−デセナール、トランス，トランス−２，４−ノナジエナール、ウンデシルアルデヒド、及びこれらの混合物からなる群から選択される少なくとも１種のアルデヒドを含有する。
【００２５】
一態様において、前述の悪臭低減組成物の香料混合物は、約０％〜約１００％、約５％〜約１００％、約８％〜約７０％、約１０％〜約５０％、又は約１２％〜約３０％のベンゾフェノン、パルミチン酸メチル、ファルネソール、ベチバーアセテート、及びウンデシレンアルデヒドを含有する。
【００２６】
一態様において、前述の悪臭低減組成物の香料混合物は、アコードＡ、アコードＢ、アコードＣ及びこれらの混合物からなる群から選択されるアルデヒド混合物を含有する。それらのアコードを以下に示す。
【００２７】
【表１】
2016532486.tif 000002
【００２８】
【表２】
2016532486.tif 000003
【００２９】
【表３】
2016532486.tif 000004
【００３０】
アコードＡ、Ｂ、又はＣは、悪臭低減組成物の香料混合物、例えば、本明細書の表１〜表４に概説する香料混合物中に、香料混合物の約５重量％〜約５０重量％、あるいは約５重量％〜約４０重量％、あるいは約５重量％〜約３０重量％、あるいは約５重量％〜約２０重量％、あるいは約５重量％〜約１０重量％、あるいは約０重量％〜約５重量％の量で配合することができる。
【００３１】
一態様において、前述の悪臭低減組成物の香料混合物は、前述の香料混合物の約１重量％〜約１０重量％のアコードＡを含有する。
【００３２】
一態様において、前述の悪臭低減組成物は、悪臭低減組成物の全重量に基づいて、約０．０５％〜約５％、あるいは０．１％〜約１．５％、あるいは約０．１％〜約１．０％、あるいは約０．１％〜約０．５％、あるいは約０．１％〜約０．４％、あるいは約０．４％〜約１．５％、あるいは約０．４％の酸触媒を含有する。
【００３３】
一態様において、前述の悪臭低減組成物は、臭気マスキング剤、臭気ブロッキング剤、希釈剤、及びこれらの混合物からなる群から選択される成分を含有する。
【００３４】
スティラックスクール（styrax coeur）と、酢酸テルピニル、メチルイソオイゲノール、フェニルアセトアルデヒドジメチルアセタール、パッチワン、及びこれらの混合物からなる群から選択される有効量の少なくとも１つの香料素材とを含有する香料混合物を含む悪臭低減組成物が提供され、任意選択によりカプセル化された前述の悪臭低減組成物又は前述の香料混合物が開示される。この悪臭低減組成物を「悪臭低減組成物２」に指定する。
【００３５】
香料混合物の約５重量％〜約１００重量％、約５重量％〜約２５重量％、約８重量％〜約７０重量％、約１０重量％〜約５０重量％、又は約１２重量％〜約３０重量％の、酢酸テルピニル、メチルイソオイゲノール、フェニルアセトアルデヒドジメチルアセタール、及びパッチワンからなる群から選択される少なくとも２つ、少なくとも３つ、又は少なくとも４つの香料素材を含有する香料混合物を含む悪臭低減組成物が提供され、任意選択によりカプセル化された前述の悪臭低減組成物又は前述の香料混合物が開示される。この悪臭低減組成物を「悪臭低減組成物３」に指定する。
【００３６】
有効量の、又は香料混合物の約５重量％〜約１００重量％、約５重量％〜約２５重量％、約８重量％〜約７０重量％、約１０重量％〜約５０重量％、若しくは約１２重量％〜約３０重量％の、パルミチン酸メチル、ファルネソール、ベチバーアセテート、ウンデシレンアルデヒド、酢酸テルピニル、メチルイソオイゲノール、フェニルアセトアルデヒドジメチルアセタール、及びパッチワンからなる群から選択される少なくとも３つの香料素材を含有する香料混合物を含む悪臭低減組成物が提供され、任意選択によりカプセル化された前述の悪臭低減組成物又は前述の香料混合物が開示される。この悪臭低減組成物を「悪臭低減組成物４」に指定する。
【００３７】
一態様において、前述の悪臭低減組成物の香料混合物は、セドリルメチルエーテル、フロールヒドラル、ヘリオナール、ウンデシレンアルデヒド、ベチバーアセテート、バートフィクスクール、及びこれらの混合物を含有する。
【００３８】
その他の香料素材
使用することが可能なその他の香料素材としては、ベンゾフェノン、パルミチン酸メチル、ファルネソール、ベチバーアセテート、セドリルメチルエーテル、バートフィクスクール（メチルセドリロン）、及びこれらの混合物が挙げられる。また、好適な香料素材としては、ヘリオナール（α−メチル−３，４−（メチレンジオキシ）−ヒドロシンナムアルデヒド）、フロールヒドラル、ウンデシレンアルデヒド、アドキサル（２，６，１０−トリメチル−９−ウンデセナール）、ブルゲオナール（４−ｔ−ブチルベンゼンプロピオンアルデヒド）、サイマール、フロールヒドラル（３−（３−イソプロピル−フェニル）−ブチルアルデヒド）、シトロネラール（３，７−ジメチル６−オクテナール）、フローラルオゾン（パラ−エチル−α，α−ジメチルヒドロシンナムアルデヒド）、フローラルスーパー、ピーノアセトアルデヒド（Pino Acetaldehyde）、スティラックスクールを挙げることができる。
【００３９】
また、好適な香料素材としては、これらに限定されないが、リレストラリス（Lilestralis）３３（２−メチル−４−ｔ−ブチルフェニル）プロパナール、ケイ皮アルデヒド、ケイ皮アルデヒド（フェニルプロペナ−ル、３−フェニル−２−プロペナ−ル）、シトラール、ゲラニアール、ネラール（ジメチルオクタジエナール、３，７−ジメチル−２，６−オクタジエン−１−アール）、シクラールＣ（２，４−ジメチル−３−シクロヘキセン−１−カルバルデヒド）、シクラメンアルデヒド、シクロサル（Cyclosal）、ライムアルデヒド（α−メチル−ｐ−イソプロピルフェニルプロピルアルデヒド）、メチルノニルアセトアルデヒド、アルデヒドＣ１２  ＭＮＡ（２−メチル−１−ウンデカナール）、ヒドロキシシトロネラ−ル（Hydroxycitronellal）、シトロネラール水和物（７−ヒドロキシ−３，７−ジメチルオクタン−１−アール）、ヒドロシンナムアルデヒド（３−フェニルプロパナール、３−フェニルプロピオンアルデヒド）、インタレーベンアルデヒド（ウンデカ−１０−エン−１−アール）、リグストラル、トリベルタール（Trivertal）（２，４−ジメチル−３−シクロヘキセン−１−カルボキシアルデヒド）、ジャスモランジ（Jasmorange）、サティンアルデヒド（satinaldehyde）（２−メチル−３−トリプロピオンアルデヒド、４−ジメチルベンゼンプロパナール）、リラール（４−（４−ヒドロキシ−４−メチルペンチル）−３−シクロヘキセン−１−カルボキシアルデヒド）、メロナール（２，６−ジメチル−５−ヘプテナール、メトキシメロナール（Metoxy Melonal）（６−メトキシ−２，６−ジメチルヘプタナール）、メトキシシンナムアルデヒド（methoxycinnamaldehyde）（トランス−４−メトキシシンナムアルデヒド）、ミラックアルデヒド（Myrac aldehyde）イソヘキセニルシクロヘキセニル−カルボキシアルデヒド、トリファーナル（trifernal）（（３−メチル−４−フェニルプロパナール、３−フェニルブタナール）、リリアル（lilial）、Ｐ．Ｔ．ブシナール、リスメラール（lysmeral）、ベンゼンプロパナール（４−ｔｅｒｔ−ブチル−α−メチルヒドロシンナムアルデヒド）、デュピカル（Dupical）、トリシクロデシリデンブタナール（４−トリシクロ５２１０−２，６デシリデン−８ブタナール）（４−Ｔｒｉｃｙｃｌｏ５２１０−２，６ｄｅｃｙｌｉｄｅｎｅ−８ｂｕｔａｎａｌ）、メラフルール（Melafleur）（１，２，３，４，５，６，７，８−オクタヒドロ−８，８−ジメチル−２−ナフタルデヒド（naphthaldehyde）、メチルオクチルアセトアルデヒド、アルデヒドＣ−１１  ＭＯＡ（２−メチルデカ−１−アール）、オニシダル（Onicidal）（２，６，１０−トリメチル−５，９−ウンデカジエン−１−アール）、ミューゲアルデヒド５０（３，７−ジメチル−６−オクテニル）オキシアセトアルデヒド、フェニルアセトアルデヒド、メフラナール（Mefranal）（３−メチル−５−フェニルペンタナール）、トリプラ−ル（Triplal）、バートシトラール（Vertocitral）ジメチルテトラヒドロベンゼンアルデヒド（２，４−ジメチル−３−シクロヘキセン−１−カルボキシアルデヒド）、２−フェニルプロピオンアルデヒド、ヒドロトロパルデヒド（Hydrotropaldehyde）、カントキサル（Canthoxal）、アニシルプロパナール（anisylpropanal）４−メトキ��−α−メチルベンゼンプロパナール（２−アニシリデンプロパナール）、シクレモン（Cylcemone）Ａ（１，２，３，４，５，６，７，８−オクタヒドロ−８、８−ジメチル−２−ナフトアルデヒド）、及びプレシクレモン（Precylcemone）Ｂ（１−シクロヘキセン−１−カルボキシアルデヒド）を含む揮発性アルデヒド又は反応性アルデヒドを挙げることができる。
【００４０】
また、好適なアルデヒドとしては、アセトアルデヒド（エタナール）、ペンタナール、バレルアルデヒド、アミルアルデヒド（amylaldehyde）、センテナール（オクタヒドロ−５−メトキシ−４，７−メタノ−１Ｈ−インデン−２−カルボキシアルデヒド）、プロピオンアルデヒド（プロパナール）、シクロシトラール（Cyclocitral）、β−シクロシトラール（２，６，６−トリメチル−１−シクロヘキセン−１−アセトアルデヒド）、イソシクロシトラール（２，４，６−トリメチル−３−シクロヘキセン−１−カルボキシアルデヒド）、イソブチルアルデヒド、ブチルアルデヒド、イソバレルアルデヒド（３−メチルブチルアルデヒド）、メチルブチルアルデヒド（２−メチルブチルアルデヒド、２−メチルブタナール）、ジヒドロシトロネラール（Dihydrocitronellal）（３，７−ジメチルオクタン−１−アール）、２−エチルブチルアルデヒド、３−メチル−２−ブテナール、２−メチルペンタナール、２−メチルバレルアルデヒド、ヘキセナール（２−ヘキセナール、トランス−２−ヘキセナール）、ヘプタナール、オクタナール、ノナナール、デカナール、トリデカナール、２−ドデカナール、メチルチオブタナール、グルタルアルデヒド、ペンタンジアール（Pentanedial）、グルタルアルデヒド、ヘプテナール、シス又はトランス−ヘプテナール、ウンデセナール（２−、１０−）、２，４−オクタジエナール、ノネナール（２−、６−）、デセナール（２−、４−）、２，４−ヘキサジエナール、２，４−デカジエナール、２，６−ノナジエナール、オクテナール、２，６−ジメチル−５−ヘプテナール、２−イソプロピル−５−メチル−２−ヘキセナール、トリファーナル（Trifernal）、β−メチルベンゼンプロパナール、２，６，６−トリメチル−１−シクロヘキセン−１−アセトアルデヒド、フェニルブテナール（２−フェニル２−ブテナール）、２−メチル−３−（ｐ−イソプロピルフェニル）−プロピオンアルデヒド、３−（ｐ−イソプロピルフェニル）−プロピオンアルデヒド、ｐ−トリルアセトアルデヒド（４−メチルフェニルアセトアルデヒド）、アニスアルデヒド（ｐ−メトキシベンゼンアルデヒド）、ベンズアルデヒド、ベルンアルデヒド（Vernaldehyde）（１−メチル−４−（４−メチルペンチル）−３−シクロヘキセンカルバルデヒド）、ヘリオトロピン（ピペロナール）３，４−メチレンジオキシベンズアルデヒド、α−アミルケイ皮アルデヒド、２−ペンチル−３−フェニルプロペンアルデヒド、バニリン（４−メトキシ３−ヒドロキシベンズアルデヒド）、エチルバニリン（３−エトキシ４−ヒドロキシベンズアルデヒド）、ヘキシルケイ皮アルデヒド、ジャスモナル（Jasmonal）Ｈ（α−ｎ−ヘキシル−ケイ皮アルデヒド）、アカレア（Acalea）（ｐ−メチル−α−ペンチルケイ皮アルデヒド）、メチルケイ皮アルデヒド、α−メチルケイ皮アルデヒド（２−メチル３−フェニルプロペナ−ル）、α−ヘキシルケイ皮アルデヒド（２−ヘキシル３−フェニルプロペナ−ル）、サリチルアルデヒド（２−ヒドロキシベンズアルデヒド）、４−エチルベンズアルデヒド、クミンアルデヒド（４−イソプロピルベンズアルデヒド）、エトキシベンズアルデヒド、２，４−ジメチルベンズアルデヒド、ベラトルムアルデヒド���Veratraldehyde）（３，４−ジメトキシベンズアルデヒド）、シリンガアルデヒド（syringaldehyde）（３，５−ジメトキシ４−ヒドロキシベンズアルデヒド）、カテックアルデヒド（Catechaldehyde）（３，４−ジヒドロキシベンズアルデヒド）、サフラナール（２，６，６−トリメチル−１，３ージエンメタナール）、ミルテナール（Myrtenal）（ピン−２−エン−１−カルバルデヒド）、ペリラアルデヒド（Perillaldehyde）Ｌ−４（１−メチルエテニル）−１−シクロヘキセン−１−カルボキシアルデヒド）、２，４−ジメチル−３−シクロヘキセンカルボキシアルデヒド、２−メチル−２−ペンテナール、２−メチルペンテナール、ピルブアルデヒド、ホルミルトリシクロデカン、マンダリンアルデヒド、サイクルマックス（Cyclemax）、コーアイリス（Corps Iris）、マシール（Maceal）、及びコー（Corps）４３２２を挙げることができる。
【００４１】
表１は、本発明の悪臭低減組成物に好適な香料混合物の一実施形態を示す。
【００４２】
【表４】
2016532486.tif 000005
【００４３】
表２及び表３は、本発明の悪臭低減組成物に好適な香料混合物の他の実施形態を示す。
【００４４】
【表５】
2016532486.tif 000006
【００４５】
【表６】
2016532486.tif 000007
【００４６】
表４は、本発明の悪臭低減組成物に好適な香料混合物の更に別の実施形態を示す。
【００４７】
【表７】
2016532486.tif 000008
【００４８】
幾つかの実施形態において、悪臭低減組成物には、表１〜表４に示す香料素材の混合物、並びに２−エトキシベンジルアルデヒド、２−イソプロピル−５−メチル−２−ヘキセナール、５−メチルフルフラール、５−メチル−チオフェン−カルボキシアルデヒド、ｐ−アニスアルデヒド、ベンジルアルデヒド、ケイ皮アルデヒド、デシルアルデヒド、リグストラル、リラール、メロナール、ｏ−アニスアルデヒド、Ｐ．Ｔ．ブシナール、チオフェンカルボキシアルデヒド（ＴＣ）、トランス−４−デセナール、トランス、トランス−２，４−ノナジエナール、ウンデシルアルデヒド、及びこれらの混合物からなる群から選択される２種以上のアルデヒドの混合物が挙げられる。揮発性が悪臭を中和するのに重要ではない幾つかの実施形態では、本発明は、例えば、ジ−、トリ−、テトラ−アルデヒドといったポリ−アルデヒドを含んでもよい。
【００４９】
カプセル剤の製造プロセス
好適な悪臭低減組成物カプセル剤の製造方法、例えば縮合プロセス、並びにそのような悪臭低減組成物カプセル剤に適したシェル材は、米国特許第６，８６９，９２３  Ｂ１号、並びに米国特許出願公開公報第２００５／０２７６８３１  Ａ１号及び同第２００７／０２０２６３  Ａ１号に記載されている。このようなシェル材には、アクリル酸樹脂、アクリル樹脂、メラミンホルムアルデヒド材等のアミノプラスト樹脂材、及びこれらの組み合わせが挙げられる。本明細書で開示するプロセスにおける使用に適した装置として、連続攪拌槽反応器、ホモジナイザー、タービン撹拌器、再循環ポンプ、パドルミキサー、プラウシャー（ploughshear）ミキサー、リボンブレンダ、いずれもバッチ式の垂直軸造粒機及びドラムミキサー、また利用可能な場合、連続工程構成における、噴霧乾燥器、及び押出機を挙げることができる。このような装置は、Ｌｏｄｉｇｅ  ＧｍｂＨ（ドイツ、パーデルボルン）、Ｌｉｔｔｌｅｆｏｒｄ  Ｄａｙ，  Ｉｎｃ．（米国、ケンタッキー州フローレンス）、Ｆｏｒｂｅｒｇ  ＡＳ（ノルウェー、ラルヴィク）、Ｇｌａｔｔ  Ｉｎｇｅｎｉｅｕｒｔｅｃｈｎｉｋ  ＧｍｂＨ（ドイツ、ワイマール）、Ｎｉｒｏ（デンマーク、セーボルグ）、Ｈｏｓｏｋａｗａ  Ｂｅｐｅｘ  Ｃｏｒｐ．（米国、ミネソタ州ミネアポリス）、Ａｒｄｅ  Ｂａｒｉｎｃｏ（米国ニュージャージー州）から入手可能である。
【００５０】
任意選択の成分
悪臭低減組成物は、任意選択により、臭気マスキング剤及び／又は希釈剤を含んでもよい。
【００５１】
また、水溶液を作るために、組成物に任意量の水及び界面活性剤を含有させることができる。幾つかの実施形態において、水は、前述の悪臭低減組成物の約８５重量％〜９９．５重量％、あるいは約９０重量％〜約９９．５重量％、あるいは約９２重量％〜約９９．５重量％、あるいは約９５重量％の量で存在してよい。また、少量の低分子量の一価アルコール、例えばエタノール、メタノール、及びイソプロパノール、又はエチレングリコール及びプロピレングリコール等の多価アルコールを含有する水も有用であり得る。
【００５２】
また、悪臭低減組成物は、本発明による無香料又は低香料の香料混合物を１００％含有することも可能である。
【００５３】
本発明の悪臭低減組成物は、１種以上の希釈剤と組み合わせてもよい。これらの希釈剤と併用する場合、悪臭低減組成物は、全混合物の約１〜約８０％、又は約５％〜約５０％、又は約１０％〜約３０％含有することができる。本発明で使用するには、芳香強度が低い希釈剤が好ましいが、これは必ずしも必要ではない。代表的な希釈剤として、ＤＢＥ−ＬＶＰ（脂肪族エステル混合液（ＩＮＶＩＳＴＡ製のＣＡＳ番号１１１９−４０−０及びＣＡＳ番号６２７−９３−０）、ジプロピレングリコールメチルエーテル、３−メトキシ−３−メチル−１−ブタノール、酢酸イソノニル、ベンジルアルコール、フロロール、アジピン酸ジオクチル（ＣＡＳ番号１２３−７９−５）、トリプロピレングリコールメチルエーテル（ＣＡＳ番号２５４９８−４９−１）、Ｄｏｗ  Ｃｏｒｎｉｎｇ  ２００（Ｒ）Ｆｌｕｉｄ、１．５ＣＳＴ（登録商標）（Ｄｏｗ  Ｃｏｒｎｉｎｇ  Ｃｏ．製）、ジプロピレングリコールｎ−プロピルエーテル、Ｘｉａｍｅｔｅｒ（Ｒ）ＰＭＸ−２００  Ｓｉｌｉｃｏｎｅ  Ｆｌｕｉｄ  １．５ＣＳ（登録商標）（Ｄｏｗ  Ｃｏｒｎｉｉｎｇ  Ｃｏ．製）、セルロース、エチルエーテル、及びこれらの混合物が挙げられる。追加の希釈剤として、ＤＰＧ（ジプロピレングリコール）、ミリスチン酸イソプロピル、クエン酸トリエチル、又はこれらの混合物を挙げることができる。
【００５４】
悪臭低減組成物を含む製造品及びそのような組成物の使用方法
本発明の悪臭低減組成物は、気相及び／又は液相の悪臭を中和する多種多様な用途で使用することか可能である。
【００５５】
吸収性物品
一般的に、本発明の吸収性物品は、典型的に、トップシート、バックシート、及びトップシートとバックシートとの間に配設された吸収性コアを含む。
【００５６】
吸収性物品のトップシートは、着用者の皮膚及び毛髪に対して順応し、柔らかい感触であり、かつ非刺激性であることが好ましい。更に、トップシートは液体透過性であり、液体（例えば、経血及び／又は尿）がその厚みを通して容易に浸透可能なものである。好適なトップシートは、織布及び不織布材料（例えば、繊維の不織布ウェブ）、孔あき成形熱可塑性フィルム、孔あきプラスチックフィルム、及びハイドロフォーミングされた熱可塑性フィルム等の高分子材料、多孔質発泡体、網状発泡体、網状熱可塑性フィルム、並びに熱可塑性スクリム等の多種多様な材料から製造され得る。好適な織布及び不織布材料は、天然繊維（例えば、木質繊維若しくは綿繊維）、合成繊維（例えば、ポリエステル繊維、ポリプロピレン繊維、若しくはポリエチレン繊維等のポリマー繊維）、又は天然繊維と合成繊維との組み合わせから構成されるものでよい。トップシートが、不織ウェブを含む場合、ウェブは、多くの既知の技法により製造され得る。例えば、ウェブは、スパンボンド、カード、ウエットレイ、メルトブロー、水流交絡、上記の組み合わせ等によるものであってよい。
【００５７】
バックシートは、液体（例えば、経血及び／又は尿）に対して不透過性であり、好ましくは薄いプラスチックフィルムから製造されるが、その他の可撓性の液体不透過性材料を使用することもできる。本明細書で使用する場合、用語「可撓性」は、順応性があり、人間の身体の一般的な形状及び輪郭に容易に適合する材料を指す。バックシートは、吸収性コアに吸収及び収容された排泄物によって、ベッドシーツ、パンツ、パジャマ及び下着等、吸収性物品に接触する物品が濡れるのを防止する。バックシートはまた、液体不透過性でありながら蒸気透過性（「通気性」）でもあることができる。バックシートは、織布若しくは不織布材料、ポリエチレン若しくはポリプロピレンの熱可塑性フィルム等の高分子フィルム、又はフィルムコーティングされた不織布材料等の複合材料等の複数の層を含んでもよい。
【００５８】
バックシート及びトップシートはそれぞれ、吸収性コアの衣類面及び身体面に隣接して配置され得る。吸収性コアは、当該技術分野において周知のもの等、取り付け手段で知られる任意の方法によってトップシート、バックシート、又は双方に接合させることが可能である。吸収性コア全体の一部が、トップシート、バックシート、又は双方に取り付けられていない、本発明の実施形態が想像される。
【００５９】
吸収性コアは、当業者に周知の任意の材料から形成され得る。そのような材料の例として、多プライの捲縮セルロース塊、毛羽立てられたセルロース繊維、エアフェルトとしても知られる木材パルプ繊維、織物繊維、繊維のブレンド、繊維の塊又は芯、繊維のエアレイドウェブ、ポリマー繊維のウェブ及びポリマー繊維のブレンドが挙げられる。
【００６０】
幾つかの吸収性物品では、吸収性コアは比較的薄く、厚さが約５ｍｍ未満、又は約３ｍｍ未満、又は約１ｍｍ未満であってよい。厚さは、当該技術分野において既知のいずれかの手段によって、１．７２ｋＰａの均一な圧力下にある間に、パッドの長手方向中心線沿いの中間点の厚さを測定することによって、決めることができる。吸収性コアは、当該技術分野において既知の、ＡＧＭ繊維を含む吸収性ゲル材料（ＡＧＭ）等の超吸収性材料を含むことができる。
【００６１】
コア組立品は、１層以上の液体吸収材を含んでもよい。ある種の実施形態において、吸収性コア組立品は複数の層を含んでもよく、各層は、特定の目的を果たすように意図される。例えば、１つ以上の層は、流体処理層（例えば、液体を永久に貯蔵するように意図されていない捕捉層及び／又は分配層）であってもよく、一方、１つ以上の他の層は、液体を永久に貯蔵するための貯蔵層として構成される。吸収性コア組立品はまた、例えば、コアカバー及び／又はダスティング層等の他のコア構成要素を安定させるための層を含んでもよい。
【００６２】
吸収性物品は、例えば、トップシートと吸収性コアの間に、第２のトップシート又は捕捉層（ＡＱＬ）等の、他の追加の構成要素を含むことができる。第２のトップシート又は捕捉層は、カード法レジンボンド不織布、エンボスされたカード法レジンボンド不織布、嵩高カード法レジンボンド不織布、カード法スルーエアボンド不織布、カード法サーマルボンド不織布、スパンボンド不織布等の、組織層又不織布を含むことができる。第２のトップシート又は捕捉層には、例えば、木材パルプ、木綿、羊毛等の天然繊維の他に、ポリ乳酸繊維等の生分解性繊維、及びポリオレフィン（例えば、ポリエチレン及びポリプロピレン）、ポリエステル、ポリアミド、合成セルロース（例えば、ＲＡＹＯＮ（登録商標）、Ｌｙｏｃｅｌｌ）、酢酸セルロース、複合繊維等の合成繊維、並びにこれらのブレンドを含む、様々な繊維が使用され得る。第２のトップシート又は捕捉層の基本重量は、所望の用途により変えることができる。
【００６３】
吸収性物品は、典型的におむつに見られるサイドカフ若しくはレッグカフ、又は典型的に生理用ナプキンに見られるサイドウイング若しくはサイドフラップ等の構成要素を更に含むことができる。物品は、バックシートに取り付けられたサイドパネルを含んでもよい。物品は、側部で永久封止してパンツを構成してもよい。あるいは、サイドパネルは、サイドパネルを物品の別の部分に解放可能に取り付けて、開けて締め直すことが可能なパンツの形状を作る手段を備えてもよい。代表的な外面ファスナーとして、不織布シート中の繊維によって形成されるループと噛み合う複数のホック等の機械的ファスナーが挙げられる。
【００６４】
本明細書における吸収性物品は、好ましくは１回使用の使い捨てである。
【００６５】
本発明の悪臭低減組成物は、吸収性物品中の様々な箇所に配設することができる。悪臭低減組成物は、トップシート又は吸収性コアの衣類面側の上、若しくは身体面側の上、又はバックシートの身体面側の上に配設することができる。悪臭低減組成物は吸収性コアの上、例えば吸収性コアの衣類面側の上に配設されてよい。悪臭低減組成物は、他の構成要素が吸収性物品中に存在する場合には、その上に、例えば不織布ダスティング層の衣類面側又は第２のトップシート若しくは捕捉層の身体面側の上に配設することもできる。幾つかの実施形態において、トップシート又は捕捉層は、組織層及び／又は不織布層を含んでよく、悪臭低減組成物は、組織層又は不織布層のいずれかの上に配設されてよい。
【００６６】
以下に考察するように、悪臭低減組成物は、接着剤中に取り入れられることによって吸収性物品中に存在し得る。幾つかの実施形態において、悪臭低減組成物は、物品の基材成分に適用されるローションによって吸収性物品中に取り入れられ得る。幾つかの実施形態において、悪臭低減組成物は、弾性フィルムによって吸収性物品中に取り入れられ得る。幾つかの実施形態において、悪臭低減組成物は、フィルム、不織布、ＡＧＭ、弾性体、及び／又はインクを含むが、これらに限定されない、物品を作製する材料に取り入れられることによって、物品中に存在し得る。
【００６７】
接着剤
本明細書で開示する吸収性物品は、１種以上の接着剤を更に含むことができる。接着剤は、構造用接着剤若しくはシャーシ接着剤、又は吸収性物品中に典型的に使用される任意の複数の他のタイプの接着剤であってもよい。一般的に使用される接着剤として、ホットメルト接着剤（すなわち、特定の温度又は温度範囲に曝露されると、流体挙動又は流体様挙動を呈する接着剤）が挙げられ、当該接着剤は、不織布及び／若しくはフィルムを互いに対して接合させる、並びに／又はこれらを他の吸収性物品構成要素に接合させるために使用され得る。従来のホットメルト接着剤は、当該技術分野において周知であり、一般的に、凝集強度を付与するためのポリマー、接着強度を付与するための粘着付与樹脂又は類似材料、粘度（すなわち、流動性）を変更するためのワックス、可塑剤、又はその他の材料；並びに／あるいは酸化防止剤若しくは他の安定剤、顔料、及び／又は充填剤を含むが、これらに限定されない他の添加剤を含む処方を有する。
【００６８】
幾つかの実施形態において、ホットメルト接着剤は、悪臭低減組成物を含むことができる。すなわち、幾つかの実施形態において、ホットメルト接着剤は、悪臭低減組成物を吸収性物品中に取り入れるキャリアとして機能することができる。悪臭低減組成物は、カプセル化又は他の保護手段に関係なく、ホットメルト接着剤に添加することが可能である。悪臭低減組成物は、吸収性物品中で使用される前も、使用されている間も、接着剤中で安定性を保つことができる。悪臭低減組成物は、プロセス中、物品の悪臭を低減する上で所望の効果を実現するのに好適な濃度で使用される。悪臭低減組成物の有効量は、接着剤の約０．０２０重量％〜約０．７５重量％であってよく、又は場合により、約０．０４重量％、０．０６重量％、０．０８重量％、０．１重量％、０．２重量％、０．３重量％、０．４重量％、０．５重量％、０．６重量％若しくは０．７重量％〜約０．７５重量％、０．７重量％、０．６重量％、０．５重量％、０．４重量％、０．３重量％、０．２重量％、０．１重量％、０．０８重量％、０．０６重量％、０．０４重量％若しくは０．０３重量％までの全ての組み合わせであってもよい。
【００６９】
従来のホットメルト接着剤は、典型的には、例えば、ホットメルトタンクを使用して液化され、続いてポンプを介して適用地点（例えば、基材の表面）まで運ばれる。悪臭低減組成物を含むことができる接着剤は、典型的には、接着剤が融解状態にある間に基材に適用され、その後、異なる基材又は同じ基材の他の部分と接触して積層構造を形成する。接着剤は、当該技術分野において知られる任意の好適な方法（例えば、コーティング又はスプレー）によって、基材間に好適な接着結合が形成されるのに十分な量で、不織布又はフィルムウェブ等の１種以上の基材の１カ所以上の部分に適用され得る。基材は、不織布、フィルム、組織、スクリム、メッシュ、これらの組み合わせ等、例えば吸収性物品中で使用するための、上に開示した材料であってよい。アタッチメントは、様々な取り付け方法又は機構のいずれかによって形成され得る。例えば、取り付け方法又は機構として、接着剤の均一な連続層、接着剤のパターンが施された層、又は接着剤の分離した線、螺線、若しくは点の配列を挙げることができる。
【００７０】
悪臭低減組成物を含む接着剤は、多くのやり方で、吸収性物品に適用され、取り入れられ得る。例えば、悪臭低減組成物を含む接着剤は、バックシート不織布をバックシートフィルムに接着させるために、トップシートを吸収性コアに接着させるために、又はトップシートを捕捉層に接着させるために使用することができる。接着剤は、捕捉層を不織布及び／又はフィルムに接着させるために使用することができる。これは、ファスナー部分のいずれかを物品の外面又はサイドパネルに接着させるために使用することができる。これは、シーラントとしてレッグカフに近接して適用することができる。接着剤は、おむつ、成人用及び／若しくは女性用ケア製品のトップシートとバックシートとの間、又は衛生用品の内部に使用される任意のタイプの接着剤であってもよい。本発明の接着剤は、他の使用の中でも、コアを固定する、吸収材を固定する、又はコア基材をコア吸収性ポリマー材料に接着させるために、コアの内部又は近傍で使用することができる。吸収性コアの構築及びコアの内部で使用される接着剤は、米国特許第８，３１９，００５号及び同第８，１８７，２４０号並びに米国特許出願公開公報第２０１２／０３１６５３０号に記載されているようなものでよい。幾つかの実施形態において、接着剤は、繊維性であっても、ネット様構造であってもよい。接着剤は、任意の弾性物質を不織布又はフィルムに接着させるために使用することができる。
【００７１】
製品の全体的な統一性及び／又は機能性、すなわち層の積層構造、製品のシーリング、ＡＧＭ固定化、又は流体処理に寄与する任意の接着剤（親水性接着剤）は、悪臭低減組成物を含む接着剤であってもよい。
【００７２】
ある種の実施形態において、吸収性物品は、１つ以上のエンドフラップシール、エンドシール、及び／又はサイドシールを備え得る。ある種の実施形態において、エンドフラップシールは、物品の長手方向端部の一方又は両方に沿ってトップシートをバックシートに接着剤で接合することによって形成され得る。エンドフラップシールを形成するための接着剤の好適な量には、基材１平方メートル当たり２．５〜５．０グラムの量が挙げられる。
【００７３】
悪臭低減組成物を取り入れる接着剤は、例えば、Ｈ．Ｂ．Ｆｕｌｌｅｒ  Ｃｏ．（ＭＮ州セントポール）から商標名ＨＬ１３５８ＬＯ及びＤ３１６６  ｅｘで販売されている接着剤でもよい。別の好適な接着剤は、ＮＪ州ブリッジウォーターのＨｅｎｋｅｌから商標名ＤＭ５２６で販売されている。好適な接着剤の更なる別の例として、Ｂｏｓｔｉｋ，Ｉｎｃ．（ＷＩ州ウォーワトサ）から商標名２８９８で販売されているものがある。
【００７４】
本明細書に開示のホットメルト接着剤の処方において使用するのに好適なベースポリマーには、一般構造：Ａ−Ｂ−Ａ又はＡ−Ｂ−Ａ−Ｂ−Ａ−Ｂを有するブロック又はマルチブロックコポリマーが非限定的に挙げられる。ポリマーブロックＡは、（ホモポリマーとしての）ガラス転移温度が２０℃より高い、非ゴム状ポリマーブロックであってよい。ポリマーブロックＡの好適な例として、ビニルアレーン、ビニルピリジン、ハロゲン化ビニル及びカルボン酸ビニル等のビニルモノマーのホモポリマー又はコポリマー；アクリロニトリル、メタクリロニトリル、及びアクリル酸のエステル等のアクリルモノマーのホモポリマー又はコポリマー；スチレン、ビニルトルエン、ビニルキシレン、エチルビニルベンゼン等のベンゼン系のモノビニル芳香族炭化水素；ビニルナフタレン等の二環式モノビニル化合物等；αオレフィン、アルキレンオキシド、アセタール、及びウレタンから誘導されるポリマーブロックが非限定的に挙げられる。ゴム状ポリマーブロックＢとして、部分的に又は実質的に水素化されているブタジエン、イソプレン、プロピレン、ブチレン、及び／又はエチレンを挙げることができる。ゴム状ブロックコポリマーの一般的な例として、ポリスチレン−ポリブタジエン−ポリスチレン（「ＳＢＳ」）、ポリスチレン−ポリイソプレン−ポリスチレン（「ＳＩＳ」）及びポリスチレン−ポリ（エチレンブチレン）−ポリスチレン（「ＳＥＢＳ」）及びポリスチレン−ポリ（エチレンプロピレン）−ポリスチレン（「ＳＥＰＳ」）が非限定的に挙げられる。これらのコポリマーは、例えば、米国特許第３，２３９，４７８号、同第３，４２７，２６９号、同第３，７００，６３３号、同第３，７５３，９３６号及び同第３，９３２，３２７号で教示される方法を用いて調製することができる。また、好適なゴム状ブロックコポリマーは、Ｓｈｅｌｌ  Ｃｈｅｍｉｃａｌ  Ｃｏ．から商標名ＫＲＡＴＯＮ  １１０１、１１０２、１１０７、１６５０、１６５２及び１６５７で、Ｅｎｉｃｈｅｍから商標名ＥＵＲＯＰＲＥＮＥで、及びＦｉｒｅｓｔｏｎｅ  Ｔｉｒｅ  ａｎｄ  Ｒｕｂｂｅｒ  Ｃｏｍｐａｎｙから商標名ＳＴＥＲＥＯＮ  ８４０Ａで入手可能である。ＳＢＳとＳＩＳとのブレンドのようなコポリマーの混合物も使用してよい。接着剤のブロックコポリマー成分は、一般的に、接着剤組成物の１０〜２５重量％の濃度で存在するであろう。
【００７５】
本発明において使用されるホットメルト接着剤は、ポリオレフィン系接着剤でもよい。代表的なポリオレフィン系接着剤には、米国特許第１３／６７３，２７７号及び同第１３／６７３，３０４号、代理人整理番号１２６４７及び１２６４８それぞれに開示されるものを挙げることができる。このような接着剤は、エチレンと少なくとも１種のＣ３〜Ｃ２０α−オレフィンとのインターポリマーである、少なくとも１種の均一なエチレン／α−オレフィンインターポリマーを含み得る。
【００７６】
また、本明細書で用いるホットメルト接着剤は、１種以上のワックスを含んでもよい。好適なワックスとして、石油由来ワックス及び従来のワックスが挙げられる。用語「石油由来ワックス」は、５４℃〜１０７℃（１３０°Ｆ〜２２５°Ｆ）の融点を有するパラフィン及び微結晶ワックス、並びに低分子量ポリエチレン又はフィッシャー・トロプシュワックス等の合成ワックスの両方を含む。好適な微結晶ワックスの市販の例として、共にＩＧＩから入手可能な、ＭＩＣＲＯＳＥＲＥ  ５９９９（融点９０．５℃）及びＭＩＣＲＯＳＥＲＥ  ５８１２（融点８５℃）が非限定的に挙げられる。ホットメルト接着剤中に存在する微結晶ワックスの量は、接着剤組成物の１〜１０ｗｔ％の範囲であってよい。
【００７７】
本開示のホットメルト接着剤組成物中で有用な粘着付与樹脂として、炭化水素樹脂、合成ポリテルペン、ロジンエステル、天然テルペン等が挙げられる。粘着付与剤は、接着剤組成物の４０〜７０重量％、例えば、６０重量％の濃度で存在してよい。より詳細には、特定のベースポリマーに応じて、有用な粘着付与樹脂には、例えば、ガムロジン、ウッドロジン、トール油ロジン、蒸留ロジン、水素化ロジン、二量体化ロジン、及び重合ロジン等の天然及び変性ロジン；例えば、淡色ウッドロジンのグリセロールエステル、水素化ロジンのグリセロールエステル、重合ロジンのグリセロールエステル、水素化ロジンのペンタエリスリトールエステル、及びロジンのフェノール変性ペンタエリスリトールエステル等の天然及び変性ロジンのグリセロール及びペンタエリトリトールエステル；例えば、スチレン／テルペン及びαメチルスチレン／テルペン等の天然テルペンのコポリマー及びターポリマー；ＡＳＴＭ法Ｅ２８−５８Ｔによって測定されたときに約８０℃〜１５０℃の環球軟化点を有するポリテルペン樹脂；例えば、二環式テルペンとフェノールとの酸性媒体中での縮合から得られる樹脂生成物等のフェノール変性テルペン樹脂及びそれらの水素化誘導体；約７０℃〜１３５℃の環球軟化点を有する脂肪族石油炭化水素樹脂；芳香族石油炭化水素樹脂及びそれらの水素化誘導体；並びに脂環式石油炭化水素樹脂及びそれらの水素化誘導体等の、任意の相溶性樹脂又はそれらの混合物を挙げることができる。上記粘着付与樹脂のうちの２種以上の混合物を幾つかの処方に用いてもよい。また、環式又は非環式Ｃ５樹脂及び芳香族変性非環式又は環式樹脂も含まれる。１種以上の天然ロジンエステルを粘着付与剤として使用するのが、それらの持続可能性（すなわち、自然に補充される）のため特に望ましい可能性がある。
【００７８】
１種以上の可塑化又は増量油が、１５％〜３０％（例えば、接着剤の２１重量％）の量でホットメルト接着剤中に存在してもよい。可塑化又は増量油の好適な例として、オレフィンオリゴマー及び低分子量ポリマー、植物及び動物油、並びにこれらの誘導体が挙げられる。石油系の油は、わずかな割合（例えば、油の３０重量％未満、又は更には１５重量％未満）の芳香族炭化水素のみを含有する、比較的高沸点の材料であり得る。完全に非芳香族である油を使用するのが望ましい可能性がある。好適なオリゴマーとして、３５０〜１０，０００の平均分子量を有するポリプロピレン、ポリブテン、水素化ポリイソプレン、水素化ポリブタジエン等が挙げられる。本明細書で用いるのに好適な油の例には、Ｐｅｔｒｏｃａｎａｄａから入手可能な鉱油であるＬＵＭＩＮＯＬ  Ｔ３５０、及びＷｉｔｃｏ  Ｃｏｒｐｏｒａｔｉｏｎから入手可能なＫＡＹＤＯＬ  ＯＩＬが挙げられる。Ｃａｌｕｍｅｔから入手可能なＣａｌｓｏｌ  ５５５０等のナフテン油もまた有用であり得る。
【００７９】
酸化防止剤、安定剤、及び／又は顔料等の添加剤を、最大３重量％（例えば、０．５重量％）の量で本開示のホットメルト接着剤中に含むこともできる。添加剤の非限定的な例として、ヒンダードフェノール、又はヒンダードフェノールとジステアリルチオジプロピオネート（「ＤＳＴＤＰ」）又はジラウリルチオジプロピオネート（「ＤＬＴＤＰ」）等の二次酸化防止剤との組み合わせが挙げられる。ヒンダードフェノールの代表例には：１，３，５−トリメチル−２，４，６−トリス（３，５−ジ−ｔｅｒｔ−ブチル−４−ヒドロキシベンジル）ベンゼン、ペンタエリスリチルテトラキス−３（３，５−ジ−ｔｅｒｔ−ブチル−４−ヒドロキシフェニル）プロピオネート、ペンタエリスリトールテトラキス（３−ラウリルチオジプロピオネート）、ｎ−オクタデシル−３，５−ジ−ｔｅｒｔ−ブチル−４−ヒドロキシフェノール）−プロピオネート、４，４’−メチレンビス（２，６−ｔｅｒｔ−ブチルフェノール）、４，４’−チオビス（６−ｔｅｒｔ−ブチル−ｏ−クレゾール）、２，６−ジ−ｔｅｒｔブチルフェノール、６−（４−ヒドロキシフェノキシ）−２，４−ビス（ｎ−オクチル−チオ）−１，３，５−トリアジン、ジ−ｎ−オクタデシル３，５−ジ−ｔｅｒｔ−ブチル−４−ヒドロキシ−ベンジル−ホスホネート、２−（ｎ−オクチルチオ）エチル３，５−ジ−ｔｅｒｔ−ブチル−４−ヒドロキシ−ベンゾエート、及びソルビトールヘキサ［３−（３，５−ジ−ｔｅｒｔ−ブチル−４−ヒドロキシフェニル）−プロピオネート］が挙げられる。市販の例には、Ｃｉｂａから入手可能な二次酸化防止剤であるＩＲＧＡＦＯＳ  １６８、及びＣｉｂａ−Ｇｅｉｇｙから入手可能なヒンダードフェノール一次酸化防止剤であるＩＲＧＡＮＯＸ  １０１０が挙げられる。他の酸化防止剤には、Ａｌｂｅｒｍａｒｌｅ製のヒンダードフェノールであるＥＴＨＡＮＯＸ  ３３０、Ｍｏｎｓａｎｔｏ製の２，５−ジ−ｔｅｒｔ−アミルヒドロキノンであるＳＡＮＴＯＶＡＲ、及びＵｎｉｒｏｙａｌ製のトリス（ｐ−ノニルフェニル）亜リン酸塩であるＮＡＶＡＧＡＲＤ  Ｐが挙げられる。様々な特性を充足しかつ特定用途の要件を満たすためにホットメルト接着剤中に通常使用される他の添加剤も含んでよい。そのような添加剤には、例えば、充填剤、顔料、流動性改良剤、染料が挙げられ、これらは目的に応じて、少量又は多量で接着剤配合物に組み込まれてよい。
【実施例】
【００８０】
実施例１（吸収性物品用の清浄用組成物）
【００８１】
【表８】
2016532486.tif 000009
＊任意の所望の香料を使用可能。
【００８２】
範囲は、全組成物に基づき、重量％で示す。
希釈剤Ａは、１００％ミリスチン酸イソプロピル、ミリスチン酸イソプロピルとジプロピレングリコールとの１：３〜３：１の比率の組み合わせ、又はミリスチン酸イソプロピルとジプロピレングリコールとの１：２〜１：４若しくは２：１〜４：１のいずれかの比率の組み合わせであってよい。希釈剤Ａは、１００％ジプロピレングリコールであってもよい。別の希釈剤は、ＴＥＣ（クエン酸トリエチル）であってもよい。
【００８３】
実施例１の組成物は、不織布ダスティング層、バックシート、トップシート、吸収性コア、若しくは捕捉層等の、吸収性物品中に取り入れられる基材上に配設され得る、又は組成物は、ホットメルトタンク中に、他のホットメルト接着剤成分と混合され、次いで吸収性物品中に取り入れてもよい。
【００８４】
実施例２（吸収性物品用の清浄用組成物）
【００８５】
【表９】
2016532486.tif 000010
＊任意の所望の香料を使用可能。
【００８６】
実施例２の組成物は、不織布ダスティング層、バックシート、トップシート、吸収性コア、若しくは捕捉層等の、吸収性物品中に取り入れられる基材上に配設され得る、又は組成物は、ホットメルトタンク中に、他のホットメルト接着剤成分と混合され、次いで吸収性物品中に取り入れてもよい。
【００８７】
官能試験−悪臭低減組成物が乾燥おむつに与える効果
悪臭低減組成物Ｈ１９５７−１及びＨ１９５７−３（それぞれ表５及び表６）を、乾燥おむつ上で評価する。
【００８８】
【表１０】
2016532486.tif 000011
【００８９】
【表１１】
2016532486.tif 000012
【００９０】
方法は、次の通りである：
悪臭低減組成物を、おむつのコア上に手で注入する。各サンプルは、単一のおむつである。対照は、無臭のパンパースおむつである。ヘッドスペース分析用の各サンプルを２リットルの瓶に入れ、約１６時間かけて平衡化した後に評価する。
【００９１】
評価は、３名の評価者によって行なわれ、各評価者は、臭気／芳香評価において多数の経験がある。各評価者用に１サンプルずつ準備される。各評価者は、瓶を開け、ヘッドスペースの臭いを嗅ぐ。各評価者が瓶の臭いを嗅いだら、３名の評価者は、臭気の特性について話し合い、０〜１００の点数で格付けする臭気強度を割り当てる。最終的な評点は、評価者３名全員が合意する評点である。彼らが単一の値に同意できなければ、値に範囲を設けることが許可される、又は平均が割り当てられ得る。少なくとも１０の評点が、意味のある、評価者による臭気の違いと見なされる。
【００９２】
スケール：全ての評価は、０〜１００の点数の強度スケールで行なわれる。
悪臭：０＝臭気がない、５０＝中程度の臭気、１００＝非常に強い臭気。
芳香：０＝芳香がない、５０＝中程度の芳香強度、１００＝非常に強い芳香強度。
【００９３】
評価者は、評価の一部として、臭気の特性に関するコメントも記録する。臭気の特性は、化学用語ではなく、消費者が使うような用語で記載される。
【００９４】
表７には、それぞれ２つの濃度の、２つの異なる悪臭低減組成物の臭気強度及び特性の結果をまとめている。対照として、組成物を同じタイプのおむつに加えた。本発明の悪臭低減組成物は、３ｕＬ／おむつで有意義な悪臭低減を示す。
【００９５】
【表１２】
2016532486.tif 000013
【００９６】
本明細書で開示する寸法及び値は、列挙された正確な数値に厳密に限られるものとして理解されるべきではない。むしろ、別段の指定がない限り、かかる寸法の各々は、記載された値及びその値の周辺の機能的に同等な範囲の両方を意味するものとする。例えば、「４０ｍｍ」と開示される寸法は、「約４０ｍｍ」を意味することが意図される。
【００９７】
あらゆる相互参照又は関連特許若しくは特許出願を含む、本明細書に引用される文献はすべて、明白に除外又は限定されている場合を除いて、本明細書中にその全容を援用するものである。いかなる文献の引用も、本明細書中で開示又は請求される任意の発明に対する先行技術であるとはみなされず、あるいはそれを単独で又は他の任意の参考文献（単数若しくは複数）と組み合わせたときに、そのような発明すべてを教示、提案、又は開示するとはみなされない。更に、本文書における用語の任意の意味又は定義が、参照により組み込まれる文献における同じ用語の任意の意味又は定義と矛盾する場合は、本文書におけるその用語に与えられた意味又は定義を優先するものとする。
【００９８】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【国際調査報告】
2016532486.tif 000014
2016532486.tif 000015